(57)【特許請求の範囲】
【請求項１】
スラブ面上に設けられる複数の支持部材と、当該複数の支持部材に支持される複数の略矩形状の床パネルと、を備える二重床構造であって、
前記複数の床パネルは、隅部同士を突き合わせて並んで配置され、
当該床パネルは、矩形状の構造材と、当該構造材の上面でかつ当該構造材の隅部を除いた部分に設けられた仕上材と、を備え、
前記支持部材は、前記複数の構造材の隅部を下から支持し、
当該構造材の隅部の上面には、蓋部材が取り付けられ、
前記構造材のうち、前記蓋部材の直下でかつ前記支持部材に接していない部分には、下面から上面に至る切り欠き部または貫通孔が形成されていることを特徴とする二重床構造。
【請求項２】
前記構造材の下面には、前記仕上材と同一の材料からなる補強材が設けられることを特徴とする請求項１に記載の二重床構造。
【請求項３】
前記仕上材の上面および下面のうち少なくとも一方から所定深さまでの部分には、樹脂が含浸されていることを特徴とする請求項１に記載の二重床構造。
【請求項４】
前記仕上材の下面には、複数のスリットが所定間隔おきに形成されていることを特徴とする請求項１から３のいずれかに記載の二重床構造。
【請求項５】
前記仕上材は、複数の木片を組み合わせて構成されていることを特徴とする請求項１から４のいずれかに記載の二重床構造。
【請求項６】
前記仕上材は、上下面に設けられた一対の板材を備え、
当該一対の板材は、木表あるいは木裏同士が互いに対向して配置されることを特徴とする請求項１から５のいずれかに記載の二重床構造。
【請求項７】
前記支持部材の少なくとも一部は、床下空間に配置されて略水平に延びる根太材であることを特徴とする請求項１から６のいずれかに記載の二重床構造。
【発明の詳細な説明】
【技術分野】
【０００１】
本発明は、二重床構造に関する。
【背景技術】
【０００２】
従来より、フリーアクセスフロアなどの二重床構造が知られている。具体的には、この二重床構造は、スラブ面に設けられる複数の支持脚と、当該複数の支持脚に支持される複数の矩形状の床パネルと、この床パネルの上に張り付けられたタイルカーペットなどの仕上材と、を備える。
【０００３】
この二重床構造については、以下のような構造が提案されている。
特許文献１には、床パネル同士を開閉可能なカバー部材で連結した二重床構造が示されている。この特許文献１では、カバー部材を開き、床パネル同士の隙間を通して、床下空間からの配線を室内に取り出すことができる。また、経時変化等によるパネルの歪や反り等のクリープ現象に対しては、カバー部材とパネルをヒンジ接合しているので、不陸調整が不要であった。
特許文献２には、床パネルを支持する支持脚の内部に、床下空間から支持脚の上面に至る通路（配線取り出し口）を設けた二重床構造が示されている。この特許文献２は、この支持脚内部の通路を通して、床下空間から室内に配線を取り出す、支持脚と床パネルで構成される二重床構造である。
【先行技術文献】
【特許文献】
【０００４】
【特許文献１】特開２００８−６３９３９号公報
【特許文献２】特開２０１４−１６９６１６号公報
【発明の概要】
【発明が解決しようとする課題】
【０００５】
しかしながら、特許文献１の二重床構造では、カバー部材が室内側に露出するため、意匠上好ましくないうえに、居住者の靴にカバー部材が引っ掛かるという問題があった。
また、特許文献２の二重床構造では、支持脚の内部に配線を通すので、配線に手間がかかる、という問題があった。
【０００６】
本発明は、カバー部材や配線取り出し口といった、床パネル上面に設けられて床パネル同士を連結する連結部材の数が少なくても、床下空間の配線を容易に室内に取り出すことができ、かつ経時変化等による床パネルの歪やそり等のクリープ変形が低減された二重床構造を提供することを目的とする。
【課題を解決するための手段】
【０００７】
第１の発明の二重床構造（例えば、後述の二重床構造１、１Ｃ、１Ｄ）は、スラブ面（例えば、後述のスラブ面２）上に設けられる複数の支持部材（例えば、後述の支持脚１０、根太材９０）と、当該複数の支持部材に支持される複数の略矩形状の床パネル（例えば、後述の床パネル２０、８０）と、を備える二重床構造であって、前記複数の床パネルは、隅部（例えば、後述の隅部３０）同士を突き合わせて並んで配置され、当該床パネルは、矩形状の構造材（例えば、後述のベースパネル２１）と、当該構造材上でかつ当該構造材の隅部を除いた部分に設けられた仕上材（例えば、後述の仕上層２２）と、を備え、前記支持部材は、前記複数の構造材の隅部を下から支持し、当該構造材の隅部の上面には、蓋部材（例えば、後述の蓋部材６０Ａ、６０Ｂ）が取り付けられ、前記構造材のうち、前記蓋部材の直下でかつ前記支持部材に接していない部分には、下面から上面に至る切り欠き部（例えば、後述の切り欠き部３４）または貫通孔が形成されていることを特徴とする。
【０００８】
この発明によれば、床パネルの構造材およびこの構造材上に設置される蓋部材に、床下空間から配線が通る切り欠き部または貫通孔を設けることで、蓋部材が床パネルの連結部材と配線取り出し口を兼用する。よって、本願発明では、床パネル上面に配線取り出し口として連結部材を設置する必要はなく、床パネル用の連結材の個数を削減できる。
【０００９】
具体的には、配線取り出し口は、床パネルを構成する構造材の側面に下面から上面に至る切り欠き部を形成しておき、複数の構造材同士を接合することで、切り欠き部に通路を形成するか、あるいは、構造材同士が集合した部分において１つの構造材に貫通孔を形成して、この貫通孔を通路として、床下空間から配線を取り出す。床下空間の配線を床上に取り出す場合、この配線を取り出したい箇所の蓋部材を取り外す。すると、床下空間に連通する通路が視認できるので、この通路を通して、床下空間の配線を構造材の上面から取り出す。したがって、床下空間の配線を室内に容易に取り出すことができる。
【００１０】
このとき、支持部材に接していない部分に通路を設けたので、支持部材に配線を通すための切欠きや貫通孔を設けることなく、配線を床上に取り出すことができる。
また、蓋部材を構造材の上面に取り付けたので、蓋部材の厚さを仕上材の厚さと同一にすることで、蓋部材の上面を仕上材の上面と面一にできるから、居住者の円滑な通行を確保できる。
【００１１】
また、経時変化による床パネルの反り等のクリープ変形に対しては、構造材および仕上材の全体あるいは一部を所定の耐久性能を満足する材料で形成することによって、経時変化によるクリープ変形が少なく、不陸調整が不要な二重床構造を実現できる。
【００１２】
第２の発明の二重床構造は、前記構造材の下面には、前記仕上材と同一材料からなる補強材が設けられることを特徴とする。
【００１３】
この発明によれば、構造材の下面に仕上材と同一の材料からなる補強材を設けたので、仕上材が収縮した場合、構造材の下面に設けられた補強材も仕上材と同程度収縮するので、仕上材および補強材の双方の乾燥収縮に伴う変形が互いの変形を相殺する方向に生じるから、床パネルの反りを軽減できる。
【００１４】
第３の発明の二重床構造は、前記仕上材の上面および下面のうち少なくとも一方から所定深さまでの部分には、樹脂が含浸されていることを特徴とする。
【００１５】
ここで、仕上材の上面および下面のうち少なくとも一方とは、仕上材の上面および下面の両方、上面のみ、下面のみを含む。
この発明によれば、浸透性に優れて樹脂に含浸させた単体の薄板を仕上材とするか、あるいは、樹脂を含浸させた薄板と樹脂を含浸させていない薄板とを貼り合せて一体化したものを仕上材とすることで、仕上材の外面から所定深さまでが樹脂含浸された仕上材を実現できる。このように、仕上材の外面び下面のうち少なくとも一方に、乾燥収縮が抑制される樹脂を含浸させたので、床パネルの反りを低減できる。
【００１６】
第４の発明の二重床構造は、前記仕上材の下面には、複数のスリットが所定間隔おきに形成されていることを特徴とする。
【００１７】
この発明によれば、仕上材の下面にスリットを形成したので、仕上材の表面が収縮しても、このスリットにて仕上材表面の乾燥収縮に伴う変形を分断することができ、床パネルの反りを抑制できる。
【００１８】
第５の発明の二重床構造は、前記仕上材は、複数の木片を組み合わせて構成されていることを特徴とする。
【００１９】
この発明によれば、複数の木片を組み合わせて仕上材を構成したので、木片が収縮しても、各木片の反る方向が互いに異なるため、全体として床パネルの反りを防止できる。
【００２０】
第６の発明の二重床構造は、前記仕上材は、上下面に設けられた一対の板材を備え、当該一対の板材は、木表あるいは木裏同士が互いに対向して配置されることを特徴とする。
【００２１】
この発明によれば、仕上材の上下面において、一対の板材を木表あるいは木裏同士を互いに対向するように配置することで、これら一対の板材の反りの方向が反対向きになって打ち消し合うので、結果的に、仕上材を含む床パネルの反りを低減できる。ここでいう木表とは、樹皮側の面を指し、木裏とは、木の中心側の面を指す。板材の場合、乾燥収縮により木表側が凹む方向に変形する。よって、本発明では、仕上材の上下面において、板材の木裏同士を対向して配置する場合（例えば、図１３（ａ））と、木表同士を対向して配置する場合（例えば、図１３（ｂ））とがあり、それぞれ、仕上材の反り等の変形を相殺させている。
【００２２】
第７の発明の二重床構造は、前記支持部材の少なくとも一部は、床下空間に配置されて略水平に延びる根太材であることを特徴とする。
【００２３】
この発明によれば、床下空間のふところ深さが浅い場合であっても、二重床構造を構築して、配線を確実に取り出すことができる。
【００２４】
本発明では、前記蓋部材には、下面から上面に至る切り欠き部または貫通孔（例えば、後述の切り欠き部６１Ａ、６１Ｂ）が形成されていることが好ましい。
このようにすれば、蓋部材に設けた切り欠き部または貫通孔を通路として設けたので、蓋部材を隅部に取り付けた状態であっても、この通路を通して、床下空間の配線を室内に取り出すことができる。
【００２５】
本発明では、前記床パネルは、木製であり、前記床パネルの構造材および仕上材は、工場で一体化されていることが好ましい。
このようにすれば、構造材と仕上材とを工場で一体化したので、カーペットなどの仕上材が不要となるから、低コストとなる。また、床パネルを木製としたので、低コストで製造できる。
【発明の効果】
【００２６】
本発明によれば、床パネル同士を少ない連結材で一体化することができ、かつ、この連結材による連結部分から床下空間の配線を容易に取り出すことができる二重床構造を提供できる。また、二重床構造は、床パネルの一部を樹脂含浸させたり、床パネルを構成する仕上材と構造材との積層構造を工夫したりすることで、不陸調整を行う必要のない、居住者の円滑な通行が確保された床構造を実現できる。
【図面の簡単な説明】
【００２７】
【図１】本発明の第１実施形態に係る二重床構造の平面図である。
【図２】第１実施形態の二重床構造の拡大平面図および縦断面図である。
【図３】第１実施形態の二重床構造の床パネルの集合部の分解斜視図である。
【図４】第１実施形態の床パネルの平面図および側面図である。
【図５】第１実施形態の床パネルの拡大斜視図である。
【図６】第１実施形態の床パネルの別の集合部の分解斜視図である。
【図７】第１実施形態の床パネルの平面図および側面図である。
【図８】第１実施形態の床パネルの拡大斜視図である。
【図９】本発明の第２実施形態に係る二重床構造の平面図である。
【図１０】本発明の第３実施形態に係る二重床構造の拡大平面図と縦断面図である。
【図１１】本発明の第１変形例に係る床パネルの縦断面図である。
【図１２】本発明の第２変形例に係る床パネルの縦断面図である。
【図１３】本発明の第３変形例に係る蓋部材の縦断面図である。
【発明を実施するための形態】
【００２８】
本発明は、床下空間から配線を容易に室内に取り出すことができ、かつ経時変化によるクリープ変形が少ない二重床構造として、構造材とこの構造材の上面に配置された仕上材とで床パネルを構成するとともに、矩形状の仕上材の四隅には三角形状または矩形状の凹部が設けられ、この凹部には、仕上材同士を連結しかつ床下空間から配線を取り出すための切り欠き部または貫通孔を備えた蓋部材が設置されている。この切り欠き部または貫通孔は、平面視において構造材と蓋部材の同位置に設けられ、床下空間から配線を取り出すことができる。
【００２９】
具体的には、第１実施形態では、支持脚（支持部材）の上部に設けられた構造材と仕上材とは、一対をなすように矩形状の平板材であり、仕上材の四隅には、三角状または矩形状の凹部が設けられて、この凹部を塞ぐように蓋材が設けられている。第２実施形態は、構造材と仕上材とが一対をなす形態ではなく、大型の矩形状の構造材の上面に、小型サイズの矩形状の仕上材が設けられた二重床構造である。また、第３実施形態は、根太材（支持部材）の上面に、構造材と仕上材とが設けられた二重床構造である。
【００３０】
さらに、変形例としては、仕上材のクリープ変形に対する対策方法として、仕上材の下面側に、仕上材と同一材料からなる補強材を貼り合せる場合（例えば、後述の図１１（ａ）参照）と、仕上材に樹脂を含浸させて収縮率を低減させ、反り等を抑止させる場合（例えば、後述の図１１（ｂ）参照）、または仕上材の下側にスリットを設けて、仕上材の反り等を抑止させる場合（例えば、後述の図１２（ａ）参照）などがある。
【００３１】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る二重床構造１の平面図である。図２（ａ）は、二重床構造１の集合部４０Ａ（図１中破線Ａで囲まれた部分）であり、図２（ｂ）は、集合部４０Ｂ（図１中破線Ｂで囲まれた部分）の拡大平面図および縦断面図である。なお、理解の容易のため、図２（ａ）、（ｂ）の平面図において、後述のロックキャップ５０および蓋部材６０Ａ、６０Ｂの表示は省略されている。
【００３２】
二重床構造１は、スラブ面２に設けられる複数の支持脚１０と、これら複数の支持脚１０に支持される複数の略矩形状の床パネル２０と、を備える。
床パネル２０は、隅部３０同士を突き合わせた状態で並んで配置されている。４つの床パネルの四隅である隅部３０を突合わせた部分を集合部４０Ａ、４０Ｂとすると、集合部４０Ａは、平面視で長方形状であり、集合部４０Ｂは、平面視で菱形状である。
図１中上側には、長方形状の集合部４０Ａが配置され、図１中下側には、菱形状の集合部４０Ｂが配置されている。
【００３３】
まず、集合部４０Ａの構造について説明する。
図３は、床パネル２０の集合部４０Ａの分解斜視図である。
床パネル２０の集合部４０Ａには、床パネル２０を支持脚１０に固定するためのロックキャップ５０が取り付けられ、このロックキャップ５０の上から蓋部材６０Ａが着脱可能に取り付けられている。
【００３４】
ロックキャップ５０は、平断面が正方形状の首部５１と、この首部５１の上端に設けられた平面視円形状で鍔状の頭部５２と、を備える。このロックキャップ５０の首部は、支持脚１０に取り付け可能であり、ロックキャップ５０を支持脚１０に取り付けることにより、ロックキャップ５０の下面と支持脚１０の上面とで、床パネル２０の集合部４０Ａを挟持する。なお、本実施形態では、平面視で、首部５１を正方形状とし、頭部５２を円形状としたが、これに限らず、デザイン性または加工性の面から、首部および頭部の両方を平面視で円形状としてもよい。
【００３５】
蓋部材６０Ａは、平面視で長方形状の板材であり、この蓋部材６０Ａの上面は平滑となっている。
集合部４０Ａには、平面視で長方形状の凹部４１Ａが４つの床パネル２０に跨がって形成されており、蓋部材６０Ａは、この凹部４１Ａに取り付けられる。蓋部材６０Ａの厚さは、凹部４１Ａの深さと略同一となっている。
よって、蓋部材６０Ａを凹部４１Ａに取り付けた状態では、蓋部材６０Ａの側面と凹部４１Ａの内壁面との間にほとんど空隙がなく、かつ、蓋部材６０Ａの上面と床パネル２０の上面とが面一となっている。
【００３６】
また、凹部４１Ａの底面の略中央には、平面視で円形状の凹部４２が４つの床パネル２０に跨がって形成されており、この凹部４２の底面略中央には、床パネル２０の下面に至りかつ平面視で正方形状の貫通孔４３が４つの床パネル２０に跨がって形成されている。
ロックキャップ５０は、首部５１を貫通孔４３に挿通して、頭部５２を凹部４２に嵌合することで、首部５１が支持脚１０に接合されるとともに、頭部の上端面が凹部４１Ａの底面と面一となる。なお、本実施形態では、平面視で貫通孔４３を正方形状としたが、これに限らず、加工性の面から、貫通孔４３を円形状としてもよい。
【００３７】
また、凹部４１Ａの底面には、平面視で円形状の一対の貫通孔４４が、貫通孔４３を挟んだ位置に、２つの床パネル２０に跨がって形成されている。これら貫通孔４４は、蓋部材６０Ａの直下でかつ支持脚１０に接していない部分に配置されている（図２参照）。
【００３８】
この一対の貫通孔４４により、床下空間から床パネル２０のベースパネル２１の上面に至る通路が形成されている。よって、床下空間の配線７０を、通路である貫通孔４４に挿通して、床上空間に取り出すことができる。なお、この場合、蓋部材６０Ａのうち貫通孔４４の直上に位置する部分に切り欠き部６１Ａを設けて、蓋部材６０Ａを上下に貫通する通路とする。
【００３９】
図４は、集合部４０Ａを構成する床パネル２０の平面図および側面図である。図５は、床パネル２０の隅部３０（図４中破線Ｃで囲まれた部分）の拡大斜視図である。
床パネル２０は、構造材と仕上材とが工場で一体化された木製のパネルであり、構造材であるベースパネル２１と、このベースパネル２１の上に設けられて隅部３０を除いた部分に設けられた木製の仕上材である仕上層２２と、を備えている。
【００４０】
ベースパネル２１の隅部３０は、仕上層２２がＬ字形状に切り欠かれて形成された凹部３１Ａである。よって、凹部３１Ａの深さは、仕上層２２の厚みと略同一となっている。上述の凹部４１Ａは、床パネル２０の凹部３１Ａが４つ集合して形成されている。
凹部３１Ａの底面の角部は、ベースパネル２１が円弧状に切り欠かれて、凹部３２が形成されている。上述の凹部４２は、床パネル２０の凹部３２が４つ集合して形成されている。
【００４１】
なお、本実施形態では、蓋部材６０Ａの厚さと仕上層２２の厚さとを同一としたが、これに限らず、強度の確保や加工性の面から、蓋部材の上面と仕上層の上面が面一であれば、蓋部材を仕層より厚くしてもよい。また、本実施形態では、ベースパネル２１の角部を円弧状に切り欠いて凹部３２を形成したが、これに限らず、加工性の面から、ベースパネル２１の角部を矩形状に切り欠いて凹部を形成してもよい。
【００４２】
また、凹部３２の底面の角部は、ベースパネル２１の下面に至るまで斜めに直線状に切り欠かれて切り欠き部３３が形成されている。上述の貫通孔４３は、床パネル２０の切り欠き部３３が４つ集合して形成されている。
また、凹部３２の底面には、ベースパネル２１の下面に至るまで半円形状に切り欠かれて切り欠き部３４が形成されている。つまり、この切り欠き部３４は、ベースパネル２１の側面で下面から上面まで延びている。上述の貫通孔４４は、床パネル２０の切り欠き部３４が２つ集合して形成されている。
【００４３】
図２に戻って、支持脚１０は、スラブ面２に設置された矩形平板状の台座１１と、この台座１１の上に設けられた円筒状の軸部１２と、この軸部１２に螺合されて４つの床パネル２０の隅部３０が載置される円形平板状の支持部１３と、を備える。なお、本実施形態では、支持部１３を円形状としたが、これに限らず、加工性の面から、支持部を正方形状または長方形状としてもよい。
【００４４】
軸部１２は、外周面にねじが刻設された円筒状であり、台座１１に固定されている。
支持部１３は、集合部４０Ａを上面で支持している。この支持部１３を軸部１２に対して回転させることで、支持部１３の台座１１からの高さが調整可能となっている。
【００４５】
上述の貫通孔４４は、蓋部材６０Ａの内側に納まるように配置される。具体的には、図２に示すように、貫通孔４４は、支持部１３の中心から貫通孔４４の中心までの寸法をＲとして、以下の条件を満たす位置に設けられる。
（１）長方形の支持部１３の長手方向の半分の長さ（または円形の支持部の半径）をＲ１とすると、Ｒ＞Ｒ１かつ（Ｒ−Ｒ１）＞３ｍｍ。
（２）長方形の蓋部材６０Ａの長手方向の半分の長さ（または円形の蓋部材の半径または菱形の蓋部材の半分の長さ）をＲ２とすると、Ｒ２＞Ｒかつ（Ｒ２−Ｒ）＞３ｍｍ。
【００４６】
次に、床パネル２０の集合部４０Ｂについて説明する。集合部４０Ｂは、凹部４１Ｂおよび蓋部材６０Ｂの構造が集合部４０Ａと異なり、その他の構成は、集合部４０Ａと同様である。
図６は、床パネル２０の集合部４０Ｂの分解斜視図である。
蓋部材６０Ｂは、平面視で菱形状の板材である。集合部４０Ｂには、平面視で菱形状の凹部４１Ｂが４つの床パネル２０に跨がって形成されており、蓋部材６０Ｂは、この集合部４０Ｂに取り付けられる。
【００４７】
また、床下空間の配線７０を、貫通孔４４に挿通して床上空間に取り出した場合、蓋部材６０Ｂのうち貫通孔４４の直上に位置する部分を切断して、切り欠き部６１Ｂを設け、蓋部材６０Ｂを上下に貫通する通路とする。
【００４８】
図７は、集合部４０Ｂを構成する床パネル２０の平面図および側面図である。図８は、床パネル２０の破線Ｄで囲まれた部分の斜視図である。
ベースパネル２１の凹部３１Ｂは、仕上層２２が斜めに直線状に切り欠かれて形成されている。上述の菱形状の凹部４１Ｂは、床パネル２０の凹部３１Ｂが４つ集合して形成されている。
【００４９】
本実施形態によれば、以下のような効果がある。
（１）床下空間の配線７０を床上に取り出す場合、この配線７０を取り出したい箇所の蓋部材６０Ａ、６０Ｂを取り外す。すると、床下空間に連通する通路としての貫通孔４４が視認できるので、この貫通孔４４を通して、床下空間の配線７０をベースパネル２１の上面から取り出す。したがって、床下空間の配線７０を室内に容易に取り出すことができる。このとき、支持脚１０に接していない部分に通路である貫通孔４４を設けたので、支持脚１０に何らかの加工をすることなく、配線７０を床上に取り出すことができる。
また、蓋部材６０Ａ、６０Ｂをベースパネル２１の隅部３０の上面に取り付けたので、蓋部材６０Ａ、６０Ｂの上面を仕上層２２の上面と面一にできるから、居住者の円滑な通行を確保できる。
【００５０】
（２）蓋部材６０Ａ、６０Ｂに切り欠き部６１Ａ、６１Ｂを設けて通路としたので、蓋部材６０Ａ、６０Ｂを隅部３０に取り付けた状態であっても、この通路を通して、床下空間の配線７０を室内に取り出すことができる。蓋部材６０Ａ、６０Ｂは、仕上層２２同士の連結材であるとともに、蓋部材６０Ａ、６０Ｂの一部に切り欠き部３４または貫通孔を設けることで、床下空間に配置された配線７０を床パネル２０上に取り出すことが可能であり、連結材と配線取り出し口を兼用する。
【００５１】
（３）ベースパネル２１と仕上層２２とを工場で一体化したので、カーペットなどの仕上材が不要となるから、低コストとなる。また、床パネル２０を木製としたので、低コストで製造できる。
【００５２】
〔第２実施形態〕
図９は、本発明の第２実施形態に係る二重床構造１Ｃの平面図である。
本実施形態では、床パネル２０の６枚分の大きさを有する床パネル８０で二重床構造１Ｃを構成した点が第１実施形態と異なる。すなわち、床パネル８０は、床パネル２０が図９中縦方向に２枚、横方向に３枚並んだ大きさである。この床パネル８０の四隅は、集合部４０Ｃとなっており、支持脚１０で支持されている。
【００５３】
本実施形態によれば、上述の（１）〜（３）と同様の効果に加えて、以下のような効果がある。
（４）大きな床パネル８０を用いたので、第１実施形態の二重床構造１に比べて、支持脚１０の個数を削減できるうえに、水平レベルを確保しやすくなる。
【００５４】
〔第３実施形態〕
図１０は、本発明の第３実施形態に係る二重床構造１Ｄの集合部４０Ｄの拡大平面図および縦断面図である。
本実施形態では、支持脚１０の代わりに、根太材９０が設けられている点が、第１実施形態と異なる。すなわち、根太材９０は、スラブ面２上の床下空間に配置されて、略水平に延びている。また、貫通孔４４は、蓋部材６０Ａの直下でかつ根太材９０に接していない部分に設けられている。
【００５５】
なお、本実施形態では、ベースパネル２１の側面に設けた切り欠き部３４同士を集合させて、配線の取り出し口である貫通孔４４を形成したが、これに限らず、図１０に示すように、一つのベースパネル２１に、配線の取り出し口として貫通孔４４Ａを設けてもよい。
【００５６】
本実施形態によれば、上述の（１）〜（３）の効果に加えて、以下の効果がある。
（５）床下空間のふところ深さが浅い場合であっても、二重床構造１Ｄを構築して、配線を確実に取り出すことができる。
【００５７】
〔変形例による実施形態〕
なお、本発明は前記実施形態に限定されるものではなく、本発明の目的を達成できる範囲での変形、改良等は本発明に含まれるものである。
【００５８】
例えば、上述の各実施形態では、ベースパネル２１の側面に下面から上面に至る切り欠き部３４を形成しておき、２つの床パネル２０同士を接合することで、切り欠き部３４を集合させて通路である貫通孔４４を形成したが、これに限らず、ベースプレートの単体に貫通孔を形成し、この貫通孔を通路としてもよい。
【００５９】
以下の各変形例は、乾燥収縮や経時変化等による床パネルのそり等で生じる床パネル上面の不陸調整を軽減させるための二重床構造である。第１変形例は、仕上材を構造材の上面および下面に接合する場合と、仕上材の少なくとも一部を樹脂含浸させた場合である。また、第２変形例は、仕上材の下側にスリットを設けた場合である。第３変形例は、上面側の板材と下面側の板材とを貼り合わせて仕上材を構成する場合と、芯材の上面および下面にそれぞれ板材を貼り合わせて仕上材を構成する場合である。
【００６０】
すなわち、仕上層２２を木製とした場合、木が乾燥収縮して反りが生じる場合があるが、この反りを解消するため、以下のような方策が考えられる。
例えば、図１１（ａ）に示すように、ベースパネル２１の下面に、仕上層２２と同一材料からなる補強材９１を設けてもよい。このようにすれば、仕上層２２が乾燥収縮した場合、補強材９１も仕上層２２と同程度収縮するので、床パネル２０の仕上層２２の反りを低減できることになる。
【００６１】
また、例えば、図１１（ｂ）に示すように、仕上層（仕上材）２２の上面から所定深さｔまでの部分に樹脂を含浸してもよい。
例えば、仕上層の厚さが５ｍｍ以上である場合、仕上層の上面から５ｍｍの深さまで含浸する。一方、仕上層の厚さが５ｍｍ未満である場合、仕上層の全てに含浸する。具体的には、仕上材の板厚さが５ｍｍ未満の場合は、仕上材全体を樹脂を含浸させる。一方、仕上材の板厚さが５ｍｍ以上の場合は、図１１（ｂ）に示すように、樹脂を含浸させた板厚さが５ｍｍの第１の仕上材２２Ａに、樹脂を含浸させていない第２の仕上材２２Ｂを接合する。
【００６２】
仕上材を含浸させる場合、仕上材を樹脂が満たされた槽に浸し、この仕上材の外表面より所定深さまで樹脂含浸することで、仕上材の撓み抵抗を増大させる。
ここで、樹脂の含浸率は、重量比で２％以上８０％以下とし、３００ｋｇ/ｍ３以上の樹脂を加圧注入にて、木材の内部まで含浸させる。樹脂含浸は、木製の仕上材に腐食、反り、ねじれ、割れ等が生じないように、強度耐摩耗性、防虫防腐性、寸法安定性に優れた、例えば、アクリル樹脂、メタアクリル樹脂、メラミン樹脂、ウレタン樹脂、フェノール樹脂、尿素樹脂、酢酸ビニル樹脂、時アリルフタレート樹脂、ポリエステル樹脂、シリコーン樹脂、エポキシ樹脂、メラミン樹脂、ビニルエステル樹脂、アクリル樹脂アクリレート、ウレタンアクリレート、エポキシアクリレート、ポリエステルアクリレートを用いる。
このようにすれば、樹脂が含浸した部分では収縮が抑制されるので、結果的に床パネル２０の反りを低減できる。
なお、本実施形態では、仕上層２２の上面から所定深さｔまで樹脂を含浸したが、これに限らず、仕上層の下面から所定深さまで樹脂を含浸してもよいし、仕上層の上面および下面の両方から所定深さまで樹脂を含浸してもよい。
【００６３】
また、例えば、図１２（ａ）に示すように、仕上層２２の下面に複数のスリット９２を所定間隔おきに形成してもよい。具体的には、このスリット９２の深さｄは、仕上層２２の厚さｐの８０％以下であり、スリット９２の間隔ｑは、仕上層２２の厚さｐの５０％以上６００％以下とする。
このようにすれば、仕上層２２の表面が収縮しても、このスリット９２で仕上層２２の表面の収縮を吸収できるので、床パネル２０の反りを軽減できる。
【００６４】
また、例えば、図１２（ｂ）に示すように、仕上層２２を複数の木片９３を組み合わせた寄木構造としてもよい。このようにすれば、各木片９３が収縮した場合でも、各木片９３の収縮方向が互いに異なるため、全体として床パネル２０の反りを防止できる。
【００６５】
また、仕上層２２を木製とした場合、木材が乾燥収縮して反りが生じる場合があるが、この反りを解消するため、以下のような方策が考えられる。
木材では木表が凹んで木裏が膨出するように反りが発生するため、例えば、図１３に示すように、仕上層２２の上下面に一対の木製の板材９４Ａ、９４Ｂを設け、この一対の板材９４Ａ、９４Ｂの木表あるいは木裏同士を互いに対向して配置してもよい。
【００６６】
図１３（ａ）では、仕上層２２を一対の木製の板材９４Ａ、９４Ｂのみで構成しており、板材９４Ａ、９４Ｂの木裏同士が対向配置されている。一方、図１３（ｂ）では、仕上層２２を、芯材９５と、この芯材９５の上下面に設けられた一対の木製の板材９４Ａ、９４Ｂと、で構成しており、板材９４Ａ、９４Ｂの木表同士が対向配置されている。
このようにすれば、一対の板材９４Ａ、９４Ｂの反る方向が反対向きになって打ち消し合うので、結果的に仕上層２２の反りを低減できる。
【符号の説明】
【００６７】
１、１Ｃ、１Ｄ…二重床構造  ２…スラブ面
１０…支持脚（支持部材）  １１…台座  １２…軸部  １３…支持部
２０…床パネル  ２１…ベースパネル（構造材）  ２２…仕上層（仕上材）
２２Ａ…第１の仕上材  ２２Ｂ…第２の仕上材
３０…隅部  ３１Ａ、３１Ｂ…凹部  ３２…凹部  ３３…切り欠き部、３４…切り欠き部
４０Ａ、４０Ｂ、４０Ｃ、４０Ｄ…集合部  ４１Ａ、４１Ｂ…凹部  ４２…凹部
４３…貫通孔  ４４、４４Ａ…貫通孔（通路）
５０…ロックキャップ  ５１…首部  ５２…頭部
６０Ａ、６０Ｂ…蓋部材  ６１Ａ、６１Ｂ…切り欠き部（通路）
７０…配線  ８０…床パネル  ９０…根太材（支持部材）
９１…補強材  ９２…スリット  ９３…木片  ９４Ａ、９４Ｂ…板材  ９５…芯材
【図１】
0006634321.tif 000002
【図２】
0006634321.tif 000003
【図３】
0006634321.tif 000004
【図４】
0006634321.tif 000005
【図５】
0006634321.tif 000006
【図６】
0006634321.tif 000007
【図７】
0006634321.tif 000008
【図８】
0006634321.tif 000009
【図９】
0006634321.tif 000010
【図１０】
0006634321.tif 000011
【図１１】
0006634321.tif 000012
【図１２】
0006634321.tif 000013
【図１３】
0006634321.tif 000014